(57)【要約】【課題】作動媒体の分解を抑制可能な熱エネルギー回収装置を提供すること。【解決手段】熱エネルギー回収装置（１）であって、加熱媒体の熱を利用することによって作動媒体を加熱する加熱器（２０）と、膨張機（２２）と、動力回収機（２４）と、凝縮器（２６）と、ポンプ（２８）と、循環流路（３０）と、加熱器（２０）から流出した作動媒体の温度に関する指標が設定温度以下になるように、加熱器（２０）での作動媒体への入熱量を調整する調整部（４１，４２，４３）と、を備えること。【選択図】図１
2019124188.tif 000002
【特許請求の範囲】
【請求項１】
加熱媒体の熱を利用することによって作動媒体を加熱する加熱器と、
前記加熱器から流出した作動媒体を膨張させる膨張機と、
前記膨張機に接続された動力回収機と、
前記膨張機から流出した作動媒体を凝縮させる凝縮器と、
前記凝縮器から流出した作動媒体を前記加熱器へ送るポンプと、
前記加熱器、前記膨張機、前記凝縮器及び前記ポンプをこの順に接続する循環流路と、
前記加熱器から流出した前記作動媒体の温度に関する指標が設定温度以下になるように、前記加熱器での前記作動媒体への入熱量を調整する調整部と、を備える、熱エネルギー回収装置。
【請求項２】
請求項１に記載の熱エネルギー回収装置において、
前記加熱媒体が流れる加熱媒体流路をさらに備え、
前記加熱器は、前記加熱媒体流路に設けられている、熱エネルギー回収装置。
【請求項３】
請求項２に記載の熱エネルギー回収装置において、
前記調整部は、前記加熱媒体流路のうち前記加熱器の上流側の部位に設けられた冷却部であって前記加熱器に流入する前記加熱媒体の温度が前記設定温度以下となるように前記加熱媒体を冷却するものを有する、熱エネルギー回収装置。
【請求項４】
請求項３に記載の熱エネルギー回収装置において、
前記加熱媒体流路は、エンジンの排ガスが前記加熱媒体として前記加熱器に供給されるように前記エンジン、前記冷却部及び前記加熱器をこの順に接続しており、
前記冷却部は、前記加熱媒体を冷却媒体により冷却するスクラバーを有する、熱エネルギー回収装置。
【請求項５】
請求項３に記載の熱エネルギー回収装置において、
前記冷却部は、前記加熱媒体を冷却媒体により冷却する冷却器を有する、熱エネルギー回収装置。
【請求項６】
請求項３に記載の熱エネルギー回収装置において、
前記加熱媒体流路は、エンジンの排ガスが前記加熱媒体として前記加熱器に供給されるように前記エンジン、前記冷却部及び前記加熱器をこの順に接続しており、
前記冷却部は、前記加熱媒体流路に前記加熱媒体の温度よりも低温のガスを供給するファンを有する、熱エネルギー回収装置。
【請求項７】
請求項５又は６に記載の熱エネルギー回収装置において、
前記調整部は、前記加熱器に流入する前記加熱媒体の温度、又は、前記加熱器から流出した前記作動媒体の温度が前記設定温度よりも低い基準温度以上になったときに、前記冷却部での前記加熱媒体の冷却を行う、熱エネルギー回収装置。
【請求項８】
請求項３ないし７のいずれかに記載の熱エネルギー回収装置において、
前記調整部は、前記指標として前記加熱器から流出した前記作動媒体の温度が前記設定温度以下となるように前記加熱器への前記作動媒体の流入量を調整する、熱エネルギー回収装置。
【請求項９】
請求項１に記載の熱エネルギー回収装置において、
前記加熱媒体が流れる加熱媒体流路と、
前記加熱媒体と中間媒体とを熱交換させることによって当該中間媒体を蒸発させる熱交換器と、
前記中間媒体が流れる中間媒体流路と、をさらに備え、
前記加熱器は、前記中間媒体流路のうち前記熱交換器の下流側の部位に設けられている、熱エネルギー回収装置。
【請求項１０】
請求項９に記載の熱エネルギー回収装置において、
前記調整部は、前記指標が前記設定温度以下になるように、前記加熱器での前記中間媒体から前記作動媒体への入熱量を調整する、熱エネルギー回収装置。
【請求項１１】
請求項８に記載の熱エネルギー回収装置において、
前記調整部は、
前記中間媒体流路のうち前記熱交換器と前記加熱器との間の部位に設けられた減圧弁と、
前記指標が前記設定温度以下になるように前記減圧弁の開度を調整する制御部と、を有する、熱エネルギー回収装置。
【請求項１２】
請求項２に記載の熱エネルギー回収装置において、
前記調整部は、
前記加熱器をバイパスするように前記加熱媒体流路に接続されたバイパス流路と、
前記バイパス流路に流入する前記加熱媒体の流量と前記加熱器に流入する前記加熱媒体の流量とを調整することによって前記加熱器から流出した前記作動媒体の温度が前記設定温度以下になるように前記加熱器での前記加熱媒体から前記作動媒体への入熱量を調整する流入量調整ユニットと、を有する、熱エネルギー回収装置。
【請求項１３】
請求項１２に記載の熱エネルギー回収装置において、
前記流入量調整ユニットは、
前記バイパス流路に設けられており開度調整が可能なバイパス弁と、
前記加熱器から流出した前記作動媒体の温度が前記設定温度以下になるように前記バイパス弁の開度を制御する制御部と、を有する、熱エネルギー回収装置。
【請求項１４】
請求項１３に記載の熱エネルギー回収装置において、
前記流入量調整ユニットは、前記加熱媒体流路のうち前記バイパス流路と並列となる部位に設けられており開度調整が可能な開閉弁をさらに有し、
前記制御部は、前記加熱器から流出した前記作動媒体の温度が前記設定温度以下になるように前記バイパス弁の開度及び前記開閉弁の開度を制御する、熱エネルギー回収装置。
【請求項１５】
請求項１４に記載の熱エネルギー回収装置において、
前記バイパス弁及び前記開閉弁は、バタフライ弁である、熱エネルギー回収装置。
【請求項１６】
請求項１４又は１５に記載の熱エネルギー回収装置において、
前記制御部は、前記加熱器から流出した前記作動媒体の過熱度が所定範囲内に収まるように前記バイパス弁の開度、前記開閉弁の開度、及び、前記加熱器への前記作動媒体の流入量を制御する過熱度制御を行う、熱エネルギー回収装置。
【請求項１７】
請求項１６に記載の熱エネルギー回収装置において、
前記制御部は、前記過熱度制御において、前記過熱度が前記所定範囲の下限値よりも小さいときは、前記バイパス弁の開度を小さくする操作よりも前記開閉弁の開度を大きくする制御を優先させる、熱エネルギー回収装置。
【請求項１８】
請求項１６又は１７に記載の熱エネルギー回収装置において、
前記制御部は、前記過熱度制御において、前記過熱度が前記所定範囲の上限値よりも大きいときは、前記開閉弁の開度を小さくする操作よりも前記バイパス弁の開度を大きくする操作を優先させる、熱エネルギー回収装置。
【請求項１９】
請求項１６ないし１８のいずれかに記載の熱エネルギー回収装置において、
前記制御部は、前記過熱度制御中において、前記加熱器から流出した前記作動媒体の温度が前記設定温度よりも大きくなったときに、前記バイパス弁の開度を最大にするとともに前記開閉弁の開度を小さくする緊急時制御を行う、熱エネルギー回収装置。
【請求項２０】
請求項１９に記載の熱エネルギー回収装置において、
前記制御部は、前記緊急時制御後、前記加熱器から流出した前記作動媒体の温度が前記設定温度以下になったときに、前記過熱度制御を行う、熱エネルギー回収装置。
【請求項２１】
請求項１６ないし２０のいずれかに記載の熱エネルギー回収装置において、
前記制御部は、前記加熱器から流出した前記作動媒体の過熱度が前記所定範囲となり、かつ、前記加熱器から流出した前記作動媒体の温度が前記設定温度以下となる状態が維持されるように、前記加熱器への前記作動媒体の流入量と前記加熱器への前記加熱媒体の流入量とを減少させる停止制御を行う、熱エネルギー回収装置。
【請求項２２】
請求項２１に記載の熱エネルギー回収装置において、
前記制御部は、前記停止制御中において、前記加熱器における前記作動媒体の前記加熱媒体からの熱回収の停止を示す停止条件が成立したときに、前記開閉弁を閉じる、熱エネルギー回収装置。
【請求項２３】
請求項１６ないし２２のいずれかに記載の熱エネルギー回収装置において、
前記制御部は、前記加熱器から流出した前記作動媒体の過熱度が前記所定範囲となり、かつ、前記加熱器から流出した前記作動媒体の温度が前記設定温度以下となる状態が維持されるように、前記加熱器への前記作動媒体の流入量と前記加熱器への前記加熱媒体の流入量とを増大させる起動制御を行う、熱エネルギー回収装置。
【発明の詳細な説明】
【技術分野】
【０００１】
本発明は、熱エネルギー回収装置に関する。
【背景技術】
【０００２】
従来、エンジンの排ガスや工場の各種設備から排出される排ガス等の加熱媒体から熱を回収する熱エネルギー回収装置が知られている。例えば、特許文献１には、船舶に搭載された原動機と、タービン及び圧縮機を有する過給機と、原動機から排出された排ガスの熱を回収する有機媒体低温熱回収機構と、を備える低温熱回収システムが開示されている。
【０００３】
タービンは、原動機から排出された排ガスによって駆動される。圧縮機は、タービンに接続されており、タービンの回転に伴って前記過給空気を吐出する。有機媒体低温熱回収機構は、前記排ガスによって有機媒体（Ｒ２４５ｆａ等）を加熱する第１の熱交換器と、発電機を含むタービンユニットと、タービンユニットから流出した有機媒体を凝縮させる凝縮器と、凝縮器から流出した有機媒体を第１の熱交換器に送る循環ポンプと、を備えている。第１の熱交換器は、過給機のタービンから排出された排ガスを煙突に導く流路に設けられている。この第１の熱交換器は、有機媒体が循環する正規移送ラインのうち循環ポンプとタービンユニットとの間の部位に接続されている。つまり、有機媒体低温熱回収機では、第１の熱交換器において、原動機から排出された排ガスから有機媒体が熱を受け取り、この熱エネルギーがタービンユニットの発電機によって回収される。
【先行技術文献】
【特許文献】
【０００４】
【特許文献１】特開２０１６−１６０８７０号公報
【発明の概要】
【発明が解決しようとする課題】
【０００５】
特許文献１に記載される有機媒体低温熱回収機構では、第１の熱交換器に供給される排ガスの温度の上昇等に起因して第１の熱交換器から流出する有機媒体の温度が当該有機媒体の分解温度を超える懸念がある。
【０００６】
本発明の目的は、作動媒体の分解を抑制可能な熱エネルギー回収装置を提供することである。
【課題を解決するための手段】
【０００７】
前記課題を解決するための手段として、本発明は、加熱媒体の熱を利用することによって作動媒体を加熱する加熱器と、前記加熱器から流出した作動媒体を膨張させる膨張機と、前記膨張機に接続された動力回収機と、前記膨張機から流出した作動媒体を凝縮させる凝縮器と、前記凝縮器から流出した作動媒体を前記加熱器へ送るポンプと、前記加熱器、前記膨張機、前記凝縮器及び前記ポンプをこの順に接続する循環流路と、前記加熱器から流出した前記作動媒体の温度に関する指標が設定温度以下になるように、前記加熱器での前記作動媒体への入熱量を調整する調整部と、を備える、熱エネルギー回収装置を提供する。
【０００８】
本熱エネルギー回収装置では、前記指標（加熱器に流入する加熱媒体（排ガス等）の温度や、加熱器から流出した作動媒体の温度）が設定温度以下になるように、調整部が加熱器での作動媒体への入熱量を調整するので、前記設定温度が作動媒体の分解温度に設定されることにより、作動媒体の分解が有効に抑制される。
【０００９】
また、前記熱エネルギー回収装置において、前記加熱媒体が流れる加熱媒体流路をさらに備え、前記加熱器は、前記加熱媒体流路に設けられていることが好ましい。
【００１０】
この態様では、加熱媒体の熱が直接作動媒体に投入される。
【００１１】
また、前記調整部は、前記加熱媒体流路のうち前記加熱器の上流側の部位に設けられた冷却部であって前記加熱器に流入する前記加熱媒体の温度が前記設定温度以下となるように前記加熱媒体を冷却するものを有していてもよい。
【００１２】
この態様においても、加熱器から流出する作動媒体の温度が有効に設定温度以下になる。
【００１３】
また、前記加熱媒体流路は、エンジンの排ガスが前記加熱媒体として前記加熱器に供給されるように前記エンジン、前記冷却部及び前記加熱器をこの順に接続しており、前記冷却部は、前記加熱媒体を冷却媒体により冷却するスクラバーを有していてもよい。
【００１４】
この態様では、エンジンの排ガスの排熱が有効に利用され、しかも、スクラバーによって排ガスの洗浄と冷却とが同時に行われる。
【００１５】
あるいは、前記冷却部は、前記加熱媒体を冷却媒体により冷却する冷却器を有していてもよい。
【００１６】
この態様でも、加熱器から流出する作動媒体の温度が有効に設定温度以下になる。
【００１７】
あるいは、前記加熱媒体流路は、エンジンの排ガスが前記加熱媒体として前記加熱器に供給されるように前記エンジン、前記冷却部及び前記加熱器をこの順に接続しており、前記冷却部は、前記加熱媒体流路に前記加熱媒体の温度よりも低温のガスを供給するファンを有していてもよい。
【００１８】
この態様でも、加熱器から流出する作動媒体の温度が有効に設定温度以下になる。
【００１９】
また、前記調整部は、前記加熱器に流入する前記加熱媒体の温度、又は、前記加熱器から流出した前記作動媒体の温度が前記設定温度よりも低い基準温度以上になったときに、前記冷却部での前記加熱媒体の冷却を行うことが好ましい。
【００２０】
この態様では、加熱器に流入する加熱媒体の温度、又は、加熱器から流出した作動媒体の温度が基準温度以上になったときに冷却部によって加熱媒体が冷却されるので、加熱器から流出する作動媒体の温度が有効に設定温度以下になる。
【００２１】
また、前記調整部は、前記指標として前記加熱器から流出した前記作動媒体の温度が前記設定温度以下となるように前記加熱器への前記作動媒体の流入量を調整することが好ましい。
【００２２】
この態様では、冷却部に加え、加熱器への作動媒体の流入量の調整も行われるので、加熱器から流出する作動媒体の温度がより確実に設定温度以下にすることが可能となる。
【００２３】
また、前記熱エネルギー回収装置において、前記加熱媒体が流れる加熱媒体流路と、前記加熱媒体と中間媒体とを熱交換させることによって当該中間媒体を蒸発させる熱交換器と、前記中間媒体が流れる中間媒体流路と、をさらに備え、前記加熱器は、前記中間媒体流路のうち前記熱交換器の下流側の部位に設けられていてもよい。
【００２４】
この態様では、中間媒体（水など）を介して加熱媒体の熱が有効に作動媒体に投入される。
【００２５】
また、前記調整部は、前記指標が前記設定温度以下になるように、前記加熱器での前記中間媒体から前記作動媒体への入熱量を調整することが好ましい。
【００２６】
具体的に、前記調整部は、前記中間媒体流路のうち前記熱交換器と前記加熱器との間の部位に設けられた減圧弁と、前記指標が前記設定温度以下になるように前記減圧弁の開度を調整する制御部と、を有することが好ましい。
【００２７】
また、前記調整部は、前記加熱器をバイパスするように前記加熱媒体流路に接続されたバイパス流路と、前記バイパス流路に流入する前記加熱媒体の流量と前記加熱器に流入する前記加熱媒体の流量とを調整することによって前記加熱器から流出した前記作動媒体の温度が前記設定温度以下になるように前記加熱器での前記加熱媒体から前記作動媒体への入熱量を調整する流入量調整ユニットと、を有していてもよい。
【００２８】
この態様では、流入量調整ユニットがバイパス流路に流入する加熱媒体の流量と加熱器に流入する加熱媒体の流量とを調整することによって加熱器から流出する作動媒体の温度が有効に設定温度以下になる。
【００２９】
また、前記流入量調整ユニットは、前記バイパス流路に設けられており開度調整が可能なバイパス弁と、前記加熱器から流出した前記作動媒体の温度が前記設定温度以下になるように前記バイパス弁の開度を制御する制御部と、を有することが好ましい。
【００３０】
この態様では、制御部がバイパス弁の開度を調整することによってバイパス流路に流入する加熱媒体の流量と加熱器に流入する加熱媒体の流量とが調整される。
【００３１】
また、前記流入量調整ユニットは、前記加熱媒体流路のうち前記バイパス流路と並列となる部位に設けられており開度調整が可能な開閉弁をさらに有し、前記制御部は、前記加熱器から流出した前記作動媒体の温度が前記設定温度以下になるように前記バイパス弁の開度及び前記開閉弁の開度を制御することが好ましい。
【００３２】
この態様では、バイパス流路に流入する加熱媒体の流量と加熱器に流入する加熱媒体の流量とをより正確に調整することが可能となる。また、加熱媒体流路とバイパス流路の上流側の端部との接続部に三方弁が設けられる場合に比べて、加熱媒体に生じる圧力損失が低減される。
【００３３】
また、前記バイパス弁及び前記開閉弁は、バタフライ弁であることが好ましい。
【００３４】
また、前記制御部は、前記加熱器から流出した前記作動媒体の過熱度が所定範囲内に収まるように前記バイパス弁の開度、前記開閉弁の開度、及び、前記加熱器への前記作動媒体の流入量を制御する過熱度制御を行うことが好ましい。
【００３５】
この態様では、加熱器から流出する作動媒体の温度を有効に設定温度以下に維持しつつ、膨張機を介して動力回収機で回収する動力を向上することが可能となる。
【００３６】
また、前記制御部は、前記過熱度制御において、前記過熱度が前記所定範囲の下限値よりも小さいときは、前記バイパス弁の開度を小さくする操作よりも前記開閉弁の開度を大きくする制御を優先させることが好ましい。
【００３７】
このようにすれば、バイパス弁の開度を小さくする操作を優先させる場合に比べて、加熱媒体に生じる圧力損失の増大を回避しつつ加熱器への加熱媒体の流入量（加熱器での加熱媒体から作動媒体への入熱量）を増大させることが可能となる。
【００３８】
また、前記制御部は、前記過熱度制御において、前記過熱度が前記所定範囲の上限値よりも大きいときは、前記開閉弁の開度を小さくする操作よりも前記バイパス弁の開度を大きくする操作を優先させることが好ましい。
【００３９】
このようにすれば、開閉弁の開度を小さくする場合に比べて、加熱媒体に生じる圧力損失を低減させつつ加熱器への加熱媒体の流入量（加熱器での加熱媒体から作動媒体への入熱量）を減少させることが可能となる。
【００４０】
また、前記制御部は、前記過熱度制御中において、前記加熱器から流出した前記作動媒体の温度が前記設定温度よりも大きくなったときに、前記バイパス弁の開度を最大にするとともに前記開閉弁の開度を小さくする緊急時制御を行うことが好ましい。
【００４１】
この態様では、バイパス弁の開度を最大とすることによって加熱媒体に生じる圧力損失の増大を回避しつつ、加熱器への加熱媒体の流入量（加熱器での作動媒体の受熱量）を減らすことによって作動媒体の分解を有効に抑制することが可能となる。
【００４２】
さらに、前記制御部は、前記緊急時制御後、前記加熱器から流出した前記作動媒体の温度が前記設定温度以下になったときに、前記過熱度制御を行うことが好ましい。
【００４３】
このようにすれば、作動媒体の分解の有効な抑制と、加熱媒体の熱の有効な回収と、の双方が達成される。
【００４４】
また、前記制御部は、前記加熱器から流出した前記作動媒体の過熱度が前記所定範囲となり、かつ、前記加熱器から流出した前記作動媒体の温度が前記設定温度以下となる状態が維持されるように、前記加熱器への前記作動媒体の流入量と前記加熱器への前記加熱媒体の流入量とを減少させる停止制御を行うことが好ましい。
【００４５】
この態様では、作動媒体の分解の抑制と加熱媒体の熱の有効な回収との双方を両立しながら安定的に熱エネルギー回収装置を停止することが可能となる。
【００４６】
さらに、前記制御部は、前記停止制御中において、前記加熱器における前記作動媒体の前記加熱媒体からの熱回収の停止を示す停止条件が成立したときに、前記開閉弁を閉じることが好ましい。
【００４７】
この態様では、停止条件（ポンプの周波数が設定値以下になることや、ポンプの停止から所定時間が経過したことなど）が成立したときに開閉弁が閉じられるので、当該装置の停止時に加熱器への加熱媒体の流入が継続すること、すなわち、加熱器において作動媒体が蒸発し続けること及びそれによって加熱器から流出した作動場体の温度が上昇することが抑制される。
【００４８】
また、前記制御部は、前記加熱器から流出した前記作動媒体の過熱度が前記所定範囲となり、かつ、前記加熱器から流出した前記作動媒体の温度が前記設定温度以下となる状態が維持されるように、前記加熱器への前記作動媒体の流入量と前記加熱器への前記加熱媒体の流入量とを増大させる起動制御を行うことが好ましい。
【００４９】
この態様では、作動媒体の分解の抑制と加熱媒体の熱の有効な回収との双方を両立しながら安定的に熱エネルギー回収装置を起動することが可能となる。
【発明の効果】
【００５０】
以上のように、本発明によれば、作動媒体の分解を抑制可能な熱エネルギー回収装置を提供することができる。
【図面の簡単な説明】
【００５１】
【図１】本発明の第１実施形態の熱エネルギー回収装置の構成を概略的に示す図である。
【図２】第１実施形態の熱エネルギー回収装置の変形例を概略的に示す図である。
【図３】本発明の第２実施形態の熱エネルギー回収装置の構成を概略的に示す図である。
【図４】本発明の第３実施形態の熱エネルギー回収装置の構成を概略的に示す図である。
【図５】制御部の起動制御及び過熱度制御の制御内容を示すフローチャートである。
【図６】制御部の緊急時制御の制御内容を示すフローチャートである。
【図７】制御部の停止制御の制御内容を示すフローチャートである。
【図８】第３実施形態の熱エネルギー回収装置の変形例を概略的に示す図である。
【発明を実施するための形態】
【００５２】
本発明の好ましい実施形態について、以下、図面を参照しながら説明する。
【００５３】
（第１実施形態）
本発明の第１実施形態の熱エネルギー回収装置１について、図１を参照しながら説明する。この熱エネルギー回収装置１は、加熱媒体（本実施形態では排ガス）から熱を回収することによって動力を生成する装置である。本実施形態では、熱エネルギー回収装置１は、エンジン２及び過給機３を有する船舶に搭載されている。過給機３は、エンジン２から排出された排ガスによって駆動されるタービン４と、タービン４に接続されておりエンジン２に供給するための過給空気を吐出するコンプレッサー５と、を有する。コンプレッサー５から吐出された過給空気は、コンプレッサー５とエンジン２とを接続する吸気ラインＬ１を通じてエンジン２に供給される。エンジン２から排出された排ガスは、エンジン２とタービン４とを接続する排気ラインＬ２を通じてタービン４に供給される。
【００５４】
図１に示されるように、熱エネルギー回収装置１は、加熱媒体流路１０と、加熱器２０と、膨張機２２と、動力回収機２４と、凝縮器２６と、ポンプ２８と、循環流路３０と、調整部４１と、を備えている。循環流路３０は、加熱器２０、膨張機２２、凝縮器２６及びポンプ２８をこの順に接続している。
【００５５】
加熱媒体流路１０は、加熱媒体が流れる流路である。本実施形態では、加熱媒体流路１０は、タービン４から排出された排ガス（加熱媒体）を煙突６に導く流路である。なお、図１では、便宜上、加熱媒体が加熱器２０の下部から流入し、上部から流出するように描かれているが、加熱媒体の流れを作動媒体の流れに対して対向流とするために、実際は、加熱媒体は、加熱器２０の上部から流入し、下部から流出する。また、加熱媒体流路１０は、加熱器２０の側面に接続される。
【００５６】
加熱器２０は、加熱媒体流路１０に設けられている。加熱器２０は、加熱媒体の熱を利用することによって作動媒体を加熱する。具体的に、加熱器２０は、加熱媒体流路１０を流れる加熱媒体と作動媒体（Ｒ２４５ｆａ等）とを熱交換させることによって作動媒体を加熱する。本実施形態では、加熱器２０として、いわゆるシェルアンドチューブ形式の熱交換器が用いられている。すなわち、加熱器２０は、作動媒体が流れる伝熱管２０ａと、伝熱管２０ａを収容しており加熱媒体の流路を構成するケーシング２０ｂと、を有している。本実施形態では、加熱器２０は、作動媒体を蒸発させる蒸発器として用いられている。ただし、加熱器２０は、液相の作動媒体を当該作動媒体が蒸発しない程度に加熱する（液相の作動媒体のまま流出させる）熱交換器として用いられることや、作動媒体が過熱状態となるように当該作動媒体を加熱する過熱器として用いられることも可能である。
【００５７】
膨張機２２は、循環流路３０のうち加熱器２０の下流側の部位に設けられている。膨張機２２は、加熱器２０から流出した気相の作動媒体を膨張させる。本実施形態では、膨張機２２として、気相の作動媒体の膨張エネルギーにより回転駆動されるロータを有する容積式のスクリュ膨張機が用いられている。
【００５８】
動力回収機２４は、膨張機２２に接続されている。動力回収機２４は、膨張機２２の駆動に伴って回転することにより作動媒体から動力を回収する。本実施形態では、動力回収機２４として発電機が用いられている。なお、動力回収機２４として、圧縮機等が用いられてもよい。
【００５９】
凝縮器２６は、循環流路３０のうち膨張機２２の下流側の部位に設けられている。凝縮器２６は、膨張機２２から流出した作動媒体と冷却媒体（海水等）とを熱交換させることによって作動媒体を凝縮させる。
【００６０】
ポンプ２８は、循環流路３０のうち凝縮器２６の下流側の部位（凝縮器２６と加熱器２０との間の部位）に設けられている。ポンプ２８は、凝縮器２６から流出した液相の作動媒体を加熱器２０に送る。
【００６１】
調整部４１は、加熱器２０から流出した作動媒体の温度Ｔが設定温度Ｔset以下になるように、加熱器２０での加熱媒体から作動媒体への入熱量を調整する。なお、前記温度Ｔは、循環流路３０のうち加熱器２０と膨張機２２との間の部位に設けられた温度センサ７１によって検出される。設定温度Ｔsetは、作動媒体の分解温度（例えば２００℃）に設定されている。なお、加熱器２０に流入する加熱媒体の温度（本実施形態では、加熱媒体流路１０のうち加熱器２０の上流側の部位の温度）は、加熱器２０から流出した作動媒体の温度Ｔと相関があるので、調整部４１は、加熱器２０から流出した作動媒体の温度Ｔではなく、加熱器２０に流入する加熱媒体の温度が設定温度Ｔset以下になるように、加熱器２０での加熱媒体から作動媒体への入熱量を調整してもよい。つまり、調整部４１は、加熱器２０から流出した作動媒体の温度Ｔそのもの、あるいは、当該温度Ｔに関する指標（加熱器２０に流入する加熱媒体の温度など）に基づいて、加熱器２０での作動媒体への入熱量を調整する。
【００６２】
本実施形態では、調整部４１は、加熱媒体流路１０のうち加熱器２０の上流側の部位（タービン４と加熱器２０との間の部位）に設けられた冷却部５０を有し、好ましくは制御部６１を有する。
【００６３】
冷却部５０は、加熱器２０に流入する加熱媒体の温度が設定温度Ｔset以下となるように加熱媒体を冷却する。本実施形態では、冷却部５０は、加熱媒体を冷却媒体（海水等）により冷却するスクラバー５１と、スクラバー５１に冷却媒体を送る冷却媒体ポンプ５２と、を有している。スクラバー５１は、タービン４から排出された加熱媒体に冷却媒体を供給することにより、加熱媒体に含まれるＳＯｘ等を除去するとともに加熱媒体を冷却する。このスクラバー５１が用いられる理由は、次のとおりである。すなわち、排ガスから直接熱を回収しようとしても、当該排ガスの温度が高いことから作動媒体が分解してしまう恐れがあること、及び、スクラバーの下流では、排ガスの温度が高くなり過ぎず、かつ、熱エネルギー回収装置１によって回収可能な熱量が存在していたこと、が判ってきたため、スクラバー５１の下流に加熱器２０を配置することとした。
【００６４】
なお、冷却部５０は、スクラバー５１の代わりに、加熱媒体と冷却媒体とを熱交換させることによって加熱媒体を冷却する冷却器（シェルアンドチューブ形式の熱交換器等）を有していてもよい。あるいは、図２に示されるように、冷却部５０は、加熱媒体流路１０に加熱媒体の温度よりも低温のガス（空気等）を供給するファン５４を有していてもよい。これらの場合、調整部４１は、加熱器２０から流出した作動媒体の温度Ｔが設定温度Ｔsetよりも低い基準温度（例えば１５０℃〜１８０℃）以上になったときにのみ、前記冷却部（冷却器又はファン５４）での加熱媒体の冷却を行ってもよい。このようにすれば、常時前記冷却部での加熱媒体の冷却を行われる場合に比べ、加熱器２０で有効に加熱媒体の熱が回収され、さらに、冷却媒体ポンプ５２やファン５４の消費電力が削減される。なお、冷却部での加熱媒体の冷却とは、冷却器が用いられる場合には冷却媒体ポンプ５２の駆動を意味し、ファン５４が用いられる場合には当該ファン５４の駆動を意味する。
【００６５】
制御部６１は、加熱器２０から流出した作動媒体の温度Ｔ（前記指標）が設定温度Ｔset以下になるように加熱器２０への作動媒体の流入量を制御する。本実施形態では、制御部６１は、ポンプ２８の周波数を制御することによって加熱器２０への作動媒体の流入量を制御する。なお、加熱器２０への作動媒体の流入量の制御は、この例に限られない。例えば、ポンプ２８をバイパスするように循環流路３０にポンプバイパス流路（図示略）が設けられるとともに当該ポンプバイパス流路に開閉弁（図示略）が設けられ、制御部６１は、前記開閉弁の開度を調整することによって加熱器２０への作動媒体の流入量を調整してもよい。
【００６６】
以上に説明したように、本実施形態の熱エネルギー回収装置１では、前記指標（加熱器２０に流入する加熱媒体（排ガス等）の温度、又は、加熱器２０から流出した作動媒体の温度Ｔ）が設定温度Ｔset以下になるように、調整部４１が加熱器２０での作動媒体への入熱量を調整するので、設定温度Ｔsetが作動媒体の分解温度に設定されることにより、作動媒体の分解が有効に抑制される。
【００６７】
なお、調整部４１は、必ずしも積極的に冷却部５０の下流側の温度を調整する必要はなく、結果的に熱エネルギー回収装置１において適した環境とすることができればよい。
【００６８】
（第２実施形態）
次に、図３を参照しながら、本発明の第２実施形態の熱エネルギー回収装置１について説明する。なお、第２実施形態では、第１実施形態と異なる部分についてのみ説明を行い、第１実施形態と同じ構造、作用及び効果の説明は省略する。
【００６９】
本実施形態では、加熱器２０は、加熱媒体（排ガス）の熱を直接作動媒体に投入する（加熱媒体と作動媒体とを直接熱交換させる）のではなく、中間媒体（本実施形態では水）を介して加熱媒体の熱を作動媒体に投入する。具体的に、本実施形態の熱エネルギー回収装置１は、熱交換器７と、中間媒体が流れる中間媒体流路８と、をさらに備えている。
【００７０】
熱交換器７は、加熱媒体流路１０のうちスクラバー５１の下流側の部位に設けられている。熱交換器７は、加熱媒体と中間媒体とを熱交換させることによって当該中間媒体を蒸発させる。本実施形態では、熱交換器７としてボイラが用いられている。この熱交換器７には、中間媒体流路８に設けられた中間媒体ポンプ９により中間媒体が供給される。
【００７１】
加熱器２０は、中間媒体流路８のうち熱交換器７の下流側の部位に設けられている。このため、加熱器２０では、熱交換器７から流出した気相の中間媒体（水蒸気）によって作動媒体が加熱される。
【００７２】
本実施形態では、調整部４２は、前記指標が設定温度Ｔset以下になるように、加熱器２０での中間媒体から作動媒体への入熱量を調整する。具体的に、調整部４２は、冷却部５０に加え、中間媒体流路８のうち熱交換器７と加熱器２０との間の部位に設けられた減圧弁Ｖ０と、前記指標が設定温度Ｔset以下になるように、減圧弁Ｖ０の開度を調整する制御部６２と、を有している。ただし、加熱器２０をバイパスするように中間媒体流路８に加熱器バイパス流路（図示略）が設けられるとともに当該加熱器バイパス流路に開閉弁（図示略）が設けられ、制御部６２は、前記開閉弁の開度を調整することによって加熱器２０への作動媒体の流入量を調整してもよい。あるいは、調整部４２は、中間媒体ポンプ９の周波数を調整してもよい。また、熱交換器７に流入する加熱媒体の温度が設定温度Ｔset以下になっているのであれば、制御部６２は、加熱器２０の流入する中間媒体の流量を調整しなくてもよい。
【００７３】
（第３実施形態）
次に、図４〜図７を参照しながら、本発明の第３実施形態の熱エネルギー回収装置１について説明する。なお、第３実施形態では、第１実施形態と異なる部分についてのみ説明を行い、第１実施形態と同じ構造、作用及び効果の説明は省略する。
【００７４】
本実施形態では、調整部４３は、加熱器２０をバイパスするように加熱媒体流路１０に接続されたバイパス流路１２と、流入量調整ユニット５５と、を有する。
【００７５】
流入量調整ユニット５５は、バイパス流路１２に流入する加熱媒体の流量と加熱器２０に流入する加熱媒体の流量とを調整することによって加熱器２０から流出した作動媒体の温度Ｔが設定温度Ｔset以下になるように加熱器２０での加熱媒体から作動媒体への入熱量を調整する。
【００７６】
具体的に、流入量調整ユニット５５は、バイパス流路１２に設けられたバイパス弁Ｖ１と、加熱媒体流路１０のうちバイパス流路１２と並列となる部位でかつ加熱器２０の上流側の部位に設けられた開閉弁Ｖ２と、制御部６３と、を有する。各弁Ｖ１，Ｖ２は、開度調整が可能である。本実施形態では、各弁Ｖ１，Ｖ２として、バタフライ弁が用いられている。なお、各弁Ｖ１，Ｖ２として、ボール弁やゲート弁が用いられてもよい。また、開閉弁Ｖ２は、省略されてもよい。
【００７７】
制御部６３は、加熱器２０から流出した作動媒体の温度Ｔが設定温度Ｔset以下になるように各弁Ｖ１，Ｖ２の開度を制御し、好ましくは加熱器２０への作動媒体の流入量（ポンプ２８の周波数）をも制御する。具体的に、制御部６３は、過熱度制御と、緊急時制御と、停止制御と、起動制御と、を行う。
【００７８】
過熱度制御は、加熱器２０から流出した作動媒体の過熱度αが所定範囲内に収まるようにバイパス弁Ｖ１の開度、開閉弁Ｖ２の開度、及び、加熱器２０への作動媒体の流入量（ポンプ２８の周波数）を操作する制御である。なお、過熱度αは、循環流路のうち加熱器２０と膨張機２２との間の部位に設けられた温度センサ７２及び圧力センサ７３の各検出値に基づいて算出される。また、制御部６３は、過熱度制御において、前記過熱度αが所定範囲の下限値α２よりも小さいときは、バイパス弁Ｖ１の開度を小さくする操作よりも開閉弁Ｖ２の開度を大きくする制御を優先させる。また、制御部６３は、過熱度制御において、前記過熱度αが所定範囲の上限値α１よりも大きいときは、開閉弁Ｖ２の開度を小さくする操作よりもバイパス弁Ｖ１の開度を大きくする操作を優先させる。
【００７９】
停止制御は、加熱器２０から流出した作動媒体の過熱度αが前記所定範囲となり、かつ、加熱器２０から流出した作動媒体の温度Ｔが設定温度Ｔset以下となる状態が維持されるように、加熱器２０への作動媒体の流入量（ポンプ２８の周波数）と加熱器２０への加熱媒体の流入量とを減少させる制御である。また、制御部６３は、停止制御中において、加熱器２０における作動媒体の加熱媒体からの熱回収の停止を示す停止条件が成立したときに、開閉弁Ｖ２を閉じる。なお、停止条件として、ポンプ２８の周波数が最小値（ポンプ２８の安定的な駆動が維持される下限値）以下になることや、ポンプ２８の停止から所定時間が経過したことなどが挙げられる。
【００８０】
起動制御は、加熱器２０から流出した作動媒体の過熱度αが前記所定範囲となり、かつ、加熱器２０から流出した作動媒体の温度Ｔが設定温度Ｔset以下となる状態が維持されるように、加熱器２０への作動媒体の流入量（ポンプ２８の周波数）と加熱器２０への加熱媒体の流入量とを増大させる制御である。
【００８１】
緊急時制御は、過熱度制御中、停止制御中及び起動制御中において、加熱器２０から流出した作動媒体の温度Ｔが設定温度Ｔsetよりも大きくなったときに、バイパス弁Ｖ１の開度を最大にするとともに開閉弁Ｖ２の開度を小さくする制御である。制御部６３は、緊急時制御後、加熱器２０から流出した作動媒体の温度Ｔが設定温度Ｔset以下になったときに、前記過熱度制御を行う。
【００８２】
以下、図５〜図７を参照しながら、制御部６３の具体的な制御内容について説明する。まず、図５を参照しながら、起動制御及び過熱度制御について説明する。なお、熱エネルギー回収装置１の起動前は、バイパス弁Ｖ１が全開とされ、開閉弁Ｖ２が全閉とされている。
【００８３】
この状態において、制御部６３は、起動信号を受け取ると、開閉弁Ｖ２の開度を上げ（ステップＳＴ１１）、ポンプ２８を駆動する（ステップＳＴ１２）。
【００８４】
次に、制御部６３は、過熱度αが上限値α１よりも大きいか否かを判断する（ステップＳＴ１３）。この結果、過熱度αが上限値α１よりも大きい場合、制御部６３は、ポンプ２８の周波数が定格か否かを確認する（ステップＳＴ１４）。その結果、ポンプ２８の周波数が定格でない場合、制御部６３は、ポンプ２８の周波数を上げ（ステップＳＴ１５）、ステップＳＴ１３に戻る。これにより、過熱度αが減少するとともに動力回収機２４での動力の回収量が増大する。
【００８５】
一方、ステップＳＴ１４においてポンプ２８の周波数が定格である場合、つまり、加熱器２０での加熱媒体から作動媒体への入熱量が過剰である場合、制御部６３は、前記入熱量を減らすために、まず、バイパス弁Ｖ１の開度が全開か否かを判断する（ステップＳＴ１６）。その結果、バイパス弁Ｖ１の開度が全開でない場合、制御部６３は、バイパス弁Ｖ１の開度を上げ（ステップＳＴ１７）、ステップＳＴ１３に戻る。これにより、バイパス流路１２への加熱媒体の流入量が増大するので、前記入熱量が減る。一方、ステップＳＴ１６においてバイパス弁Ｖ１の開度が全開である場合（バイパス弁Ｖ１による前記入熱量の調整ができない場合）、制御部６３は、前記入熱量を減らすために開閉弁Ｖ２の開度を下げ（ステップＳＴ１８）、ステップＳＴ１３に戻る。
【００８６】
また、ステップＳＴ１３において、過熱度αが上限値α１よりも大きくない場合（ステップＳＴ１３でＮＯの場合）、制御部６３は、過熱度αが下限値α２以上上限値α１以下であるか否かを判断する（ステップＳＴ１９）。この結果、過熱度αが下限値α２以上上限値α１以下である場合、制御部６３は、ステップＳＴ１３に戻る。一方、過熱度αが下限値α２以上上限値α１以下ではない場合、つまり、過熱度αが下限値α２未満である場合（前記入熱量が不足している場合）、制御部６３は、まず、開閉弁Ｖ２の開度が全開か否かを判断する（ステップＳＴ２０）。その結果、開閉弁Ｖ２の開度が全開でない場合、制御部６３は、前記入熱量が増やすために開閉弁Ｖ２の開度を上げ（ステップＳＴ２１）、ステップＳＴ１３に戻る。一方、ステップＳＴ２０において開閉弁Ｖ２の開度が全開である場合（開閉弁Ｖ２による前記入熱量の調整ができない場合）、制御部６３は、バイパス弁Ｖ１の開度が全閉か否かを判断する（ステップＳＴ２２）。そして、バイパス弁Ｖ１の開度が全閉でない場合、制御部６３は、バイパス弁Ｖ１の開度を下げ（ステップＳＴ２３）、ステップＳＴ１３に戻る。これにより、加熱器２０への加熱媒体の流入量が増大するので、前記入熱量が増大する。よって、過熱度αが上昇する。
【００８７】
一方、ステップＳＴ２２において、バイパス弁Ｖ１の開度が全閉である場合、つまり、各弁Ｖ１，Ｖ２によって入熱量を増大させる操作ができない場合、制御部６３は、ポンプ２８の周波数を下げ（ステップＳＴ２４）、ステップＳＴ１３に戻る。これにより、過熱度αが低下する。
【００８８】
続いて、図６を参照しながら、緊急時制御について説明する。この緊急時制御は、起動制御、過熱度制御及び停止制御と同時に行われている。
【００８９】
まず、制御部６３は、加熱器２０から流出した作動媒体の温度Ｔが設定温度Ｔsetよりも大きいか否かを判断する（ステップＳＴ３１）。この結果、温度Ｔが設定温度Ｔsetよりも大きくない場合、制御部６３は、再度ステップＳＴ３１に戻る一方、温度Ｔが設定温度Ｔsetよりも大きい場合、制御部６３は、ポンプ２８の周波数が定格か否かを判断する（ステップＳＴ３２）。
【００９０】
この結果、ポンプ２８の周波数が定格でない場合、制御部６３は、ポンプ２８の周波数を上げ（ステップＳＴ３３）、ステップＳＴ３１に戻る。これにより、前記温度Ｔが低下するとともに動力回収機２４での動力の回収量が増大する。一方、ポンプ２８の周波数が定格である場合（ポンプ２８の周波数の調整による前記温度Ｔの調整ができない場合）、制御部６３は、まず、バイパス弁Ｖ１が全開か否かを判断する（ステップＳＴ３４）。
【００９１】
この結果、バイパス弁Ｖ１が全開でない場合、制御部６３は、加熱器２０への加熱媒体の流入量、つまり、入熱量を減らすためにバイパス弁Ｖ１の開度を上げ（ステップＳＴ３５）、ステップＳＴ３１に戻る。一方、バイパス弁Ｖ１が全開である場合（バイパス弁Ｖ１によって前記入熱量を減少させる操作ができない場合）、制御部６３は、開閉弁Ｖ２を全閉とする（ステップＳＴ３６）。これにより、加熱器２０に流入する加熱媒体の流量、つまり、前記入熱量がゼロになる。
【００９２】
そして、制御部６３は、温度Ｔが設定温度Ｔsetよりも小さいか否かを判断し（ステップＳＴ３７）、温度Ｔが設定温度Ｔset以上の場合は再度温度Ｔが設定温度Ｔsetよりも小さいか否かを判断する一方、温度Ｔが設定温度Ｔsetよりも小さい場合、過熱度制御のステップＳＴ１１に移る。
【００９３】
続いて、図７を参照しながら、停止制御について説明する。
【００９４】
制御部６３は、停止信号を受けると、まず、バイパス弁Ｖ１を全開（ステップＳＴ４１）。これにより、加熱器２０への加熱媒体の流入量、つまり、前記入熱量が減少し始める。
【００９５】
そして、制御部６３は、過熱度αが上限値α１以下であるか否かを判断する（ステップＳＴ４２）。この結果、過熱度αが上限値α１以下である場合、制御部６３は、ポンプ２８の周波数が最小値（ポンプ２８の安定的な駆動が維持される下限値）であるか否かを判断する（ステップＳＴ４４）。この結果、ポンプ２８の周波数が最小値ではない場合、つまり、ポンプ２８の周波数を減少させることが可能な状態である場合、制御部６３は、ポンプ２８の周波数を下げ（ステップＳＴ４５）、ステップＳＴ４２に戻る。これにより、過熱度αが上昇する。
【００９６】
一方、ステップＳＴ４２において過熱度αが上限値α１よりも大きい場合、制御部６３は、開閉弁Ｖ２の開度を下げ（ステップＳＴ４３）、ステップＳＴ４２に戻る。これにより、加熱器２０への加熱媒体の流入量（入熱量）が減少するので、過熱度αが低下する。
【００９７】
以上の操作が繰り返されることにより、過熱度αが上限値α１以下に維持されつつポンプ２８の周波数が次第に前記最小値に向けて減少する。
【００９８】
そして、ステップＳＴ４４においてポンプ２８の周波数が最小値である場合、制御部６３は、ポンプ２８を停止し（ステップＳＴ４６）、開閉弁Ｖ２を閉じる（ステップＳＴ４７）。なお、ステップＳＴ４７は、前記停止条件が成立したときに行われればよいので、ステップＳＴ４６と同時、つまり、ポンプ２８の周波数が最小値になったときに行われてもよいし、ステップＳＴ４６の後、所定時間経過後に行われてもよい。
【００９９】
以上のように、本実施形態の熱エネルギー回収装置１では、流入量調整ユニット５５がバイパス流路１２に流入する加熱媒体の流量と加熱器２０に流入する加熱媒体の流量とを調整するので、加熱器２０から流出する作動媒体の温度Ｔが有効に設定温度Ｔset以下になる。
【０１００】
また、制御部６３は、過熱度制御を行うので、加熱器２０から流出する作動媒体の温度Ｔを有効に設定温度Ｔset以下に維持しつつ、膨張機２２を介して動力回収機２４で回収する動力を向上することが可能となる。
【０１０１】
また、制御部６３は、過熱度制御において、過熱度αが下限値α２よりも小さいときは、バイパス弁Ｖ１の開度を小さくする操作よりも開閉弁Ｖ２の開度を大きくする制御を優先させる。このため、バイパス弁Ｖ１の開度を小さくする操作を優先させる場合に比べて、加熱媒体に生じる圧力損失の増大を回避しつつ加熱器２０への加熱媒体の流入量（加熱器２０での加熱媒体から作動媒体への入熱量）を増大させることが可能となる。
【０１０２】
また、制御部６３は、過熱度制御において、過熱度αが上限値α１よりも大きいときは、開閉弁Ｖ２の開度を小さくする操作よりもバイパス弁Ｖ１の開度を大きくする操作を優先させる。このため、開閉弁Ｖ２の開度を小さくする場合に比べて、加熱媒体に生じる圧力損失を低減させつつ加熱器２０への加熱媒体の流入量（加熱器２０での加熱媒体から作動媒体への入熱量）を減少させることが可能となる。
【０１０３】
また、制御部６３は、緊急時制御を行う。このため、バイパス弁Ｖ１の開度を最大とすることによって加熱媒体に生じる圧力損失の増大を回避しつつ、加熱器２０への加熱媒体の流入量（加熱器２０での作動媒体の受熱量）を減らすことによって作動媒体の分解を有効に抑制することが可能となる。
【０１０４】
また、制御部６３は、緊急時制御後、加熱器２０から流出した作動媒体の温度Ｔが設定温度Ｔset以下になったときに、前記過熱度制御を行う。よって、作動媒体の分解の有効な抑制と、加熱媒体の熱の有効な回収と、の双方が達成される。
【０１０５】
また、制御部６３は、停止制御を行うので、作動媒体の分解の抑制と加熱媒体の熱の有効な回収との双方を両立しながら安定的に熱エネルギー回収装置１を停止することが可能となる。
【０１０６】
また、制御部６３は、停止制御中において、前記停止条件が成立したときに開閉弁Ｖ２を閉じるので、当該装置の停止時に加熱器２０への加熱媒体の流入が継続すること、すなわち、加熱器２０において作動媒体が蒸発し続けること及びそれによって加熱器２０から流出した作動場体の温度Ｔが上昇することが抑制される。
【０１０７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０８】
例えば、第３実施形態においては、バイパス弁Ｖ１及び開閉弁Ｖ２に代えて、図８に示されるように、バイパス流路１２に流入する加熱媒体の流量と加熱器２０に流入する加熱媒体の流量とを調整可能な三方弁Ｖ３が設けられてもよい。ただし、上記第３実施形態のように、バイパス弁Ｖ１及び開閉弁Ｖ２が設けられることにより、バイパス流路１２に流入する加熱媒体の流量と加熱器２０に流入する加熱媒体の流量とをより正確に調整することが可能となる。
【０１０９】
また、起動制御及び停止制御では、加熱器２０から流出した作動媒体の過熱度αの代わりに、加熱器２０に流入する加熱媒体の温度及び流量と、加熱器２０から流出した加熱媒体の温度及び流量と、に基づいて算出された熱量が用いられてもよい。
【０１１０】
また、加熱媒体は、作動媒体の分解温度以上の温度になり得るものであれば、エンジン２の排ガスに限られない。
【符号の説明】
【０１１１】
１    熱エネルギー回収装置
２    エンジン
３    過給機
４    タービン
５    コンプレッサー
７    熱交換器
８    中間媒体流路
９    中間媒体ポンプ
１０    加熱媒体流路
１２    バイパス流路
２０    加熱器
２２    膨張機
２４    動力回収機
２６    凝縮器
２８    ポンプ
３０    循環流路
４１    調整部
４２    調整部
４３    調整部
５０    冷却部
５１    スクラバー
５２    冷却媒体ポンプ
５４    ファン
５５    流入量調整ユニット
６１    制御部
６２    制御部
６３    制御部
Ｖ０    減圧弁
Ｖ１    バイパス弁
Ｖ２    開閉弁
【図１】
2019124188.tif 000003
【図２】
2019124188.tif 000004
【図３】
2019124188.tif 000005
【図４】
2019124188.tif 000006
【図５】
2019124188.tif 000007
【図６】
2019124188.tif 000008
【図７】
2019124188.tif 000009
【図８】
2019124188.tif 000010